【手続補正書】
【提出日】平成18年8月11日(2006.8.11)
【手続補正１】
【補正対象書類名】明細書
【補正対象項目名】発明の名称
【補正方法】変更
【補正の内容】
【発明の名称】パチンコ機
【手続補正２】
【補正対象書類名】明細書
【補正対象項目名】特許請求の範囲
【補正方法】変更
【補正の内容】
【特許請求の範囲】
【請求項１】  所定の周期内で、種々の遊技形態の処理の大きさに応じて変動する残余時間の管理によるセキュリティ装置を備えたパチンコ機であって、
前記セキュリティ装置は、
前記種々の遊技形態の処理の大きさに応じて変動する残余時間を、各周期毎に検出する検出手段と、
前記検出された各周期毎の残余時間が継続して所定の範囲内に存在するか否かを判断する判断手段と、
前記残余時間が継続して所定の範囲内に存在すると判断した場合には、特定の遊技形態のみが継続的に行われないようにセキュリティ処理を実行するセキュリティ手段と
を具えたことを特徴とするパチンコ機。
【請求項２】  前記判断手段は、
前記各周期毎の残余時間が一定時間になる回数を算出する手段と、
前記算出された回数を最大限界回数と比較する手段と
を含むことを特徴とする請求項１記載のパチンコ機。
【請求項３】  前記判断手段は、
前記各周期毎の残余時間を演算処理する手段と、
前記演算処理に基づく各残余時間から一定の規則性を導出する装置と
を含むことを特徴とする請求項１記載のパチンコ機。
【請求項４】  所定の周期で設定される大当たり乱数の初期値の管理によるセキュリティ装置を備えたパチンコ機であって、
前記セキュリティ装置は、
前記大当たり乱数の初期値を決定する初期値乱数を、各周期毎に検出する検出手段と、
前記検出された各周期毎の初期値乱数が継続して所定の範囲内に存在するか否かを判断する判断手段と、
前記初期値乱数が継続して所定の範囲内に存在すると判断した場合には、前記特定の遊技形態のみが継続的に行われないようにセキュリティ処理を実行するセキュリティ手段と
を具えたことを特徴とするパチンコ機。
【請求項５】  前記セキュリティ処理は、
大当たり遊技形態を示す大当たり乱数の当たり値の設定を変更することを特徴とする請求項１ないし４のいずれかに記載のパチンコ機。
【請求項６】  遊技球が始動入賞口に入賞して特別図柄表示装置が変動を開始し、特定の図柄の組み合わせとなったときに可変入賞球装置が開放動作を行うことにより、種々の遊技形態が選択実行されるパチンコ機であって、
請求項１ないし５のいずれかに記載のセキュリティ装置を具え、
当該セキュリティ装置によって、前記種々の遊技形態の中で特定の遊技形態のみが継続的に行われないようにセキュリティ処理を実行することを特徴とするパチンコ機。
【手続補正３】
【補正対象書類名】明細書
【補正対象項目名】０００１
【補正方法】変更
【補正の内容】
【０００１】
【発明の属する技術分野】
本発明は、パチンコ機に関し、特に、大当たりの遊技形態に係る不正行為を防止することが可能なパチンコ機に関する。
【手続補正４】
【補正対象書類名】明細書
【補正対象項目名】００１２
【補正方法】変更
【補正の内容】
【００１２】
そこで、本発明の目的は、ユーザリセット毎に使える残余時間を監視することによって、予想されるゴト行為に対する不正行為の対策と一層のセキュリティ強化を行うことが可能なパチンコ機を提供することにある。
【手続補正５】
【補正対象書類名】明細書
【補正対象項目名】００１３
【補正方法】変更
【補正の内容】
【００１３】
また、本発明の他の目的は、大当たり乱数カウンタが一巡したとき毎の初期値乱数を監視することによって、予想されるゴト行為に対する不正行為の対策と一層のセキュリティ強化を行うことが可能なパチンコ機を提供することにある。
【手続補正６】
【補正対象書類名】明細書
【補正対象項目名】００１４
【補正方法】変更
【補正の内容】
【００１４】
【課題を解決するための手段】
本発明のパチンコ機は、所定の周期内で、種々の遊技形態の処理の大きさに応じて変動する残余時間の管理によるセキュリティ装置を備えたパチンコ機であって、前記セキュリティ装置は、前記種々の遊技形態の処理の大きさに応じて変動する残余時間を、各周期毎に検出する検出手段と、前記検出された各周期毎の残余時間が継続して所定の範囲内に存在するか否かを判断する判断手段と、前記残余時間が継続して所定の範囲内に存在すると判断した場合には、特定の遊技形態のみが継続的に行われないようにセキュリティ処理を実行するセキュリティ手段とを具えたことを特徴とする。
【手続補正７】
【補正対象書類名】明細書
【補正対象項目名】００１５
【補正方法】変更
【補正の内容】
【００１５】
本発明のパチンコ機は、所定の周期で設定される大当たり乱数の初期値の管理によるセキュリティ装置を備えたパチンコ機であって、前記セキュリティ装置は、前記大当たり乱数の初期値を決定する初期値乱数を、各周期毎に検出する検出手段と、前記検出された各周期毎の初期値乱数が継続して所定の範囲内に存在するか否かを判断する判断手段と、前記初期値乱数が継続して所定の範囲内に存在すると判断した場合には、前記特定の遊技形態のみが継続的に行われないようにセキュリティ処理を実行するセキュリティ手段とを具えたことを特徴とする。
【手続補正８】
【補正対象書類名】明細書
【補正対象項目名】００１６
【補正方法】変更
【補正の内容】
【００１６】
本発明のパチンコ機は、遊技球が始動入賞口に入賞して特別図柄表示装置が変動を開始し、特定の図柄の組み合わせとなったときに可変入賞球装置が開放動作を行うことにより、種々の遊技形態が選択実行されるパチンコ機であって、前記セキュリティ装置を具え、当該セキュリティ装置によって、前記種々の遊技形態の中で特定の遊技形態のみが継続的に行われないようにセキュリティ処理を実行することを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
ここで、前記判断手段は、前記各周期毎の残余時間が一定時間になる回数を算出し、前記算出された回数を最大限界回数と比較してもよい。
【手続補正１４】
【補正対象書類名】明細書
【補正対象項目名】００２２
【補正方法】変更
【補正の内容】
【００２２】
また、前記判断手段は、前記各周期毎の残余時間を演算処理し、前記演算処理に基づく演算結果から一定の規則性を導出してもよい。
【手続補正１５】
【補正対象書類名】図面
【補正対象項目名】図１
【補正方法】変更
【補正の内容】
【図１】
2001187253.tif 000001
【手続補正１６】
【補正対象書類名】図面
【補正対象項目名】図４
【補正方法】変更
【補正の内容】
【図４】
2001187253.tif 000002
【手続補正１７】
【補正対象書類名】図面
【補正対象項目名】図１２
【補正方法】変更
【補正の内容】
【図１２】
2001187253.tif 000003
【手続補正１８】
【補正対象書類名】図面
【補正対象項目名】図１３
【補正方法】変更
【補正の内容】
【図１３】
2001187253.tif 000004